(57)【要約】【課題】照明器具を大型化することなく、グレア光を抑制する光源装置及び照明器具を提供する。【解決手段】光源装置は、光を出射する光源と、光源が実装された基板と、基板の光源が配置された側に設けられ、光源の光軸の方向に延び、光源から出射された光の進行方向を制御するカバーと、を備え、カバーは、光源から出射された光が入射する内壁側に形成された入射面と、入射面から入射した光が進行する媒質内部と、媒質内部と外部との境界面であって、入射した光をカバーの外側に出射する外壁側に形成された出射面と、を有し、入射面は、光源から出射された光の進行方向を変える複数の入光面と、隣り合う入光面を接続する接続面と、を有し、複数の入光面は、光源から離れるに従って、光軸に対する傾斜角が小さくなるように構成されている。【選択図】図３
2018006128.tif 000002
【特許請求の範囲】
【請求項１】
光を出射する光源と、
前記光源が実装された基板と、
前記基板の前記光源が配置された側に設けられ、前記光源の光軸の方向に延び、前記光源から出射された光の進行方向を制御するカバーと、を備え、
前記カバーは、
前記光源から出射された光が入射する内壁側に形成された入射面と、
前記入射面から入射した光が進行する媒質内部と、
前記媒質内部と外部との境界面であって、入射した光を前記カバーの外側に出射する外壁側に形成された出射面と、を有し、
前記入射面は、
前記光源から出射された光の進行方向を変える複数の入光面と、
隣り合う前記入光面を接続する接続面と、を有し、
複数の前記入光面は、
前記光源から離れるに従って、前記光軸に対する傾斜角が小さくなるように構成されている
光源装置。
【請求項２】
複数の前記入光面は、
出射面から出射される光の前記光軸とのなす角度が所定の角度以下となるように、入射される光を屈折させるものである
請求項１記載の光源装置。
【請求項３】
前記カバーは、
前記光軸の方向に延び、前記入射面と前記出射面とを有する透過性の側面部と、
前記側面部の前記光源側の端部と前記光源の前記側面部側の端部とを結んだ線より前記基板側に配置され、傾斜面を有する不透過性の傾斜部と、を有する
請求項１又は２記載の光源装置。
【請求項４】
前記傾斜部は、
前記傾斜面が、前記光源から出射される光のうち、前記側面部の前記光源側の端部と前記基板との間に入射する光を遮るように傾斜している
請求項３記載の光源装置。
【請求項５】
前記基板の前記光源が配置された側に設けられ、前記光源から出射された光を拡散する拡散部を更に備える
請求項１〜４のいずれか１項に記載の光源装置。
【請求項６】
請求項１〜５のいずれか１項に記載の光源装置を備える
照明器具。
【請求項７】
請求項３又は４記載の光源装置を備え、
前記光源装置は、
前記側面部と前記傾斜部との境界線が天井面に沿うように、天井に設置される
照明器具。
【発明の詳細な説明】
【技術分野】
【０００１】
本発明は、光源から出射された光の進行方向を制御する光源装置及び照明器具に関する。
【背景技術】
【０００２】
照明器具に用いられる光源として、発光ダイオードが知られている。発光ダイオードは、以下の説明において、ＬＥＤと呼称する。なお、ＬＥＤは、Ｌｉｇｈｔ  Ｅｍｉｔｔｉｎｇ  Ｄｉｏｄｅの略称である。ＬＥＤは、近年、発光効率及び光束が向上しているため、様々な照明器具の光源に使用されている。特許文献１には、ＬＥＤ光源を列状に配置し、透光性を有する拡散カバーで覆った照明器具が開示されている。また、特許文献２には、ＬＥＤ光源を列状に配置し、透光性を有する拡散カバーで覆った直管形の照明装置が開示されている。特許文献２において、拡散カバーの厚さは、中央部から両側端にかけて徐々に薄くなっており、これにより、光を収束する。更に、特許文献３には、ＬＥＤの光照射側に樋形状のカバーが設けられた照明装置が開示されている。特許文献３において、カバーは、ＬＥＤと対向する面に複数の凸部を有しており、凸部が、ＬＥＤから出射された光を所定の方向に集める。このように、従来の照明器具として、ＬＥＤ光源を列状に配置し、透光性を有する拡散カバーで覆ったものが知られている。
【先行技術文献】
【特許文献】
【０００３】
【特許文献１】特許第５４５９２３４号公報
【特許文献２】特開２０１３−２３２４１１号公報
【特許文献３】特開２０１５−９０７６３号公報
【発明の概要】
【発明が解決しようとする課題】
【０００４】
しかしながら、特許文献１に開示された照明器具は、人が不快に感じるグレア光である光源の光軸とのなす角度が６０°〜９０°の光を抑制することを目的として、照明器具の最奥部にＬＥＤ光源を配置し、更にルーバを設けているため、大型化する。また、特許文献２に開示された照明装置は、光軸とのなす角度が６０°〜９０°において、拡散カバーの厚さがほぼ均一となっているため、人が不快に感じるグレア光が照射され、快適性を損なう。更に、特許文献３に開示された照明装置は、光源から出射される光のうち、光軸とのなす角度が６０°〜９０°といった広角の光は、凸部に当たらないため、迷光及びグレア光が照射される虞がある。
【０００５】
本発明は、上記のような課題を解決するためになされたもので、照明器具を大型化することなく、グレア光を抑制する光源装置及び照明器具を提供するものである。
【課題を解決するための手段】
【０００６】
本発明に係る光源装置は、光を出射する光源と、光源が実装された基板と、基板の光源が配置された側に設けられ、光源の光軸の方向に延び、光源から出射された光の進行方向を制御するカバーと、を備え、カバーは、光源から出射された光が入射する内壁側に形成された入射面と、入射面から入射した光が進行する媒質内部と、媒質内部と外部との境界面であって、入射した光をカバーの外側に出射する外壁側に形成された出射面と、を有し、入射面は、光源から出射された光の進行方向を変える複数の入光面と、隣り合う入光面を接続する接続面と、を有し、複数の入光面は、光源から離れるに従って、光軸に対する傾斜角が小さくなるように構成されている。
【発明の効果】
【０００７】
本発明によれば、カバーの入射面に形成された複数の入光面が、光源から離れるに従って、光軸に対する傾斜角が小さくなるように構成されている。即ち、光源から近い入光面は、傾斜角が大きい。このため、光源から出射された光のうち、光軸とのなす角度が大きい広角の光は、傾斜角が大きい入光面に入射して屈折し、光源とのなす角度が小さい光となって出射される。従って、照明器具を大型化することなく、グレア光を抑制することができる。
【図面の簡単な説明】
【０００８】
【図１】本発明の実施の形態１に係る照明器具１を示す斜視図である。
【図２】本発明の実施の形態１に係る光源装置１００を示す分解斜視図である。
【図３】本発明の実施の形態１に係る光源装置１００を示す断面図である。
【図４】本発明の実施の形態１に係る光源装置１００の光の進行方向を示す模式図である。
【図５】本発明の実施の形態１に係る光源装置１００の光の進行方向を示す断面図である。
【図６Ａ】本発明の実施の形態２に係る光源装置２００を示す断面図である。
【図６Ｂ】本発明の実施の形態２に係る光源装置２００の傾斜部１６０を示す断面図である。
【図６Ｃ】本発明の実施の形態２の変形例に係る光源装置２００の傾斜部１６０を示す断面図である。
【図７】本発明の実施の形態３に係る光源装置３００を示す断面図である。
【図８】本発明の実施の形態３に係る光源装置３００の光の進行方向を示す断面図である。
【図９】本発明の実施の形態４に係る光源装置４００を示す断面図である。
【図１０】本発明の実施の形態５に係る照明器具５を示す斜視図である。
【図１１】本発明の実施の形態５に係る光源装置５００を示す断面図である。
【発明を実施するための形態】
【０００９】
実施の形態１．
以下、本発明に係る光源装置及び照明器具の実施の形態について、図面を参照しながら説明する。図１は、本発明の実施の形態１に係る照明器具１を示す斜視図である。図１に基づいて、照明器具１について説明する。図１に示すように、照明器具１は、器具本体１０と、光源装置１００とを備えている。器具本体１０は、直方体状の箱体であり、底部１１が開口している。器具本体１０は、底部１１から両幅方向（矢印Ｘ方向）に延びるフランジ部１２を有している。器具本体１０は、例えば天井Ｃに形成された穴に挿入される。その際、フランジ部１２は、天井面に当たり、照明器具１が天井Ｃに取り付けられる。
【００１０】
図２は、本発明の実施の形態１に係る光源装置１００を示す分解斜視図である。図２に示すように、光源装置１００は、光源１１０と、基板１２０と、筐体１３０と、カバー１４０とを備えている。光源１１０は、光を出射するものであり、例えばＬＥＤである。光源１１０は、例えば波長が４４０ｎｍ〜４８０ｎｍ程度の青色光を発するチップと、青色光を黄色光に波長変換する蛍光体とが樹脂パッケージの内部に設けられた素子としてもよい。この場合、光源１１０は、青色光と黄色光とが合成した白色光を発する発光素子である。
【００１１】
基板１２０は、例えば長手方向（矢印Ｙ方向）に延びる長方形状の板状の部材であり、複数の光源１１０が、一方の面に長手方向（矢印Ｙ方向）に沿って実装されている。また、基板１２０には、ダイオード等の回路素子（図示せず）及びコネクタ等の端子（図示せず）が実装されている。なお、基板１２０の表面に、白色レジスト等が塗布されることにより、光の反射率を高めることもできる。光の反射率を高めることによって、光源装置１００の発光効率を高めることができる。
【００１２】
筐体１３０は、基板１２０が取り付けられる板状の取付部１３１と、取付部１３１の両側端部から基板１２０とは反対側に延びる側部１３２とを有している。取付部１３１には、接着剤等によって、基板１２０が取り付けられている。光源１１０が発する熱は、基板１２０を介して、取付部１３１に伝わり、取付部１３１から側部１３２に伝わって、側部１３２から大気に放出される。このように、筐体１３０は、光源１１０が発する熱を放出する放熱板又はヒートシンクの機能を有している。
【００１３】
カバー１４０は、基板１２０の光源１１０が配置された側に設けられ、光源１１０の光軸の方向に延び、光源１１０から出射された光の進行方向を制御する配光制御の機能を有している。ここで、光軸とは、光源１１０から法線方向に出射される光の方向（矢印Ｚ１方向）をいう。カバー１４０は、光源１１０に対向する正面部１４１と、正面部１４１の両側部から基板１２０側に延びる側面部１４２と、カバー１４０の長手方向の両端面を塞ぐ２個の端板部１５０とを有している。カバー１４０は、光軸を中心とした対称の形状である。なお、カバー１４０は、押出成形によって一体的に形成されてもよく、射出成形によって形成された各部材を接着剤で貼り付けることによって一体的に形成されてもよい。また、カバー１４０は、アクリルやポリカーボネート等の光を透過する透明な材料で形成されている。材料の屈折率は、例えば１．４以上１．７以下である。
【００１４】
図３は、本発明の実施の形態１に係る光源装置１００を示す断面図であり、図１のＡ−Ａ断面図である。図３に示すように、正面部１４１は、光源１１０から出射される光のうち、鉛直角が小さい光が入射して、屈折する平坦状の透過性の部材である。ここで、鉛直角とは、鉛直方向（矢印Ｚ方向）である光軸とのなす角度をいう。
【００１５】
側面部１４２は、光源１１０の光軸の方向に延び、入射面１４２ａと媒質内部１４２ｃと出射面１４２ｂとを有する透過性の部材である。側面部１４２の先端部からは、互いに向き合う方向に延びる突出部１４４が設けられている。光源１１０が実装された基板１２０が取り付けられた筐体１３０は、側面部１４２の長手方向（矢印Ｙ方向）の端部から挿入される。突出部１４４は、挿入された筐体１３０が外れることを抑制する。入射面１４２ａは、光源１１０から出射された光が入射する側面部１４２の内壁側に形成されたものである。媒質内部１４２ｃは、入射面１４２ａから入射した光が進行するものである。出射面１４２ｂは、媒質内部１４２ｃと外部との境界面であって、入射した光をカバー１４０の外側に出射する側面部１４２の外壁側に形成されたものである。
【００１６】
入射面１４２ａは、複数の入光面１４３ａと、複数の接続面１４３ｂとを有している。入光面１４３ａは、光軸に対し光源１１０から離れるほど光軸に近づく方向に傾斜して傾斜角θαが小さくなるように構成されており、光源１１０から出射された光の進行方向を変えるものである。ここで、傾斜角とは、鉛直方向（矢印Ｚ方向）である光軸に対して傾く角度をいう。接続面１４３ｂは、隣り合う入光面１４３ａを接続するものである。入光面１４３ａ及び接続面１４３ｂによって、制御凸部１４３が形成されている。ここで、光源１１０の中心から出射された光の進行方向について説明する。
【００１７】
光源１１０から出射された光のうち、鉛直角がθａの光は、入射面１４２ａの入光面１４３ａに入射して屈折する。屈折した光は、鉛直角がθｂの光となり、媒質内部１４２ｃを進行して、媒質内部１４２ｃと外部との境界面である出射面１４２ｂにおいて屈折する。屈折した光は、鉛直角がθｃの光となり、カバー１４０の外部に出射される。ここで、θｃが、所望の角度θｇよりも小さくなるように入光面１４３ａの傾斜角θαが設定されている。所望の角度θｇは、例えばグレア光となる光であり、例えば６０°である。カバー１４０の屈折率をｎとすると、次の式（１）を満足するように、入光面１４３ａの傾斜角θαが設定されている。
【００１８】
［数１］
θｇ＞９０−ｓｉｎ−１（ｓｉｎ（θα）−ｓｉｎ−１（ｓｉｎ（９０−θａ−θα））／ｎ）×ｎ・・・（１）
【００１９】
端板部１５０は、正面部１４１及び側面部１４２に接着されて取り付けられている。なお、端板部１５０には、側面部１４２に設けられた制御凸部１４３と同様の制御凸部１４３が設けられている。
【００２０】
図４は、本発明の実施の形態１に係る光源装置１００の光の進行方向を示す模式図である。ここで、入光面１４３ａに入射する光の進行方向について説明する。図４に示すように、一つの制御凸部１４３Ａと、光源１１０側で制御凸部１４３Ａと隣り合う制御凸部１４３Ｂと、正面部１４１側で制御凸部１４３Ａと隣り合う制御凸部１４３Ｃとに入射する光の進行方向について説明する。なお、制御凸部１４３Ａに入射する光のうち、制御凸部１４３Ａの中央に入射する光の光路をＡ１、制御凸部１４３Ａの制御凸部１４３Ｂ側端部に入射する光の光路をＡ２、制御凸部１４３Ａの制御凸部１４３Ｃ側端部に入射する光の光路をＡ３とする。光路Ａ２及び光路Ａ３は、入光面１４３ａと接続面１４３ｂとの境界点に入射する光の光路である。
【００２１】
なお、本実施の形態１では、入光面１４３ａと接続面１４３ｂとの境界は、角状であるが、Ｒ形状でもよい。この場合、入光面１４３ａと接続面１４３ｂとの境界点は、入光面１４３ａの平坦部の延長線と接続面１４３ｂの平坦部の延長線との交点、即ち接点である。また、入光面１４３ａの底部１１を結ぶ仮想線から入光面１４３ａの頂点までの長さである入光面１４３ａの突出高さＨは、光源１１０から離れるに従って徐々に小さくなる。なお、突出高さＨは、一定以上の高さを有する。即ち、入光面１４３ａの光軸の方向の長さは、光源１１０から離れるに従って長くなる。
【００２２】
制御凸部１４３の入光面１４３ａは、入光面１４３ａに入射する光の鉛直角が大きくなるように光を屈折させる。また、出射面１４２ｂは、入光面１４３ａで屈折した光の鉛直角が小さくなるように光を屈折させる。即ち、制御凸部１４３Ａの入光面１４３ａＡで屈折した光の鉛直角θＡ２は、入光面１４３ａＡに入射する光路Ａ１の鉛直角θＡ１よりも大きくなる（θＡ２＞θＡ１）。また、出射面１４２ｂで屈折した光の鉛直角θＡ３は、入光面１４３ａＡで屈折した光の鉛直角θＡ２よりも小さくなる（θＡ３＜θＡ２）。
【００２３】
なお、制御凸部１４３の接続面１４３ｂは、隣り合う入光面１４３ａからの光が入射しないように形成されている。即ち、制御凸部１４３Ａの接続面１４３ｂＡの傾斜角は、制御凸部１４３Ｃに入光する光の光路Ｃの鉛直角よりも大きくなるように形成されている。制御凸部１４３の入光面１４３ａは、入射した光が接続面１４３ｂに入光しないように光を屈折させる。即ち、制御凸部１４３Ａの入光面１４３ａＡは、光路Ａ３で入光する光を、接続面１４３ｂの傾斜角よりも大きい鉛直角となるように屈折させる。
【００２４】
図５は、本発明の実施の形態１に係る光源装置１００の光の進行方向を示す断面図である。次に、入光面１４３ａの傾斜角について具体的に説明する。図５に示すように、複数の入光面１４３ａに、光源１１０から近い順に１〜１２の番号を振る。ここで、入光面１４３ａの傾斜角をθα、光源１１０から出射された光の鉛直角をθａ、入光面１４３ａで屈折された光の鉛直角をθｂ、出射面１４２ｂから出射された光の鉛直角をθｃとする。それぞれの制御凸部１４３の入光面１４３ａの傾斜角θα、それぞれの入光面１４３ａに入射した光のθａ、θｂ、θｃは、表１のようになる。
【００２５】
【表１】
2018006128.tif 000003
【００２６】
表１に示すように、制御凸部１４３は、光源１１０から離れるに従って、入光面１４３ａの傾斜角θαが小さくなる。これにより、θａとθｃとの差は、光源１１０から離れるに従って小さくなる。即ち、入光面１４３ａの傾斜角θαは、光源１１０から正面部１４１に向かうに従って、入光面１４３ａに入光する光の屈折が小さくなる。なお、光の屈折は、入光面１４３ａでの屈折と、媒質内部１４２ｃと外部との境界面である出射面１４２ｂでの屈折との２回である。これは、番号をｎとすると、以下の式（２）で示される。
【００２７】
［数２］
θａｎ−θｃｎ＞θａ（ｎ＋１）−θｃ（ｎ＋１）・・・（２）
【００２８】
制御凸部１４３−１〜制御凸部１４３−５のように、鉛直角が約６０°〜９０°といった広角の光は、傾斜角が大きい入光面１４３ａに入射して屈折し、出射面１４２ｂから出射された光の鉛直角が６０°以下の光となって出射される。即ち、複数の入光面１４３ａは、出射面１４２ｂから出射される光の鉛直角が所定の角度、例えば６０°以下となるように、入射される光を屈折させるものである。なお、所定の角度は、６５°でもよいし、７５°でもよい。
【００２９】
本実施の形態１によれば、カバー１４０の入射面１４２ａに形成された複数の入光面１４３ａが、光源１１０から離れるに従って、光軸に対する傾斜角が小さくなるように構成されている。即ち、光源１１０から近い入光面１４３ａは、傾斜角が大きい。このため、光源１１０から出射された光のうち、鉛直角が約６０°〜９０°といった広角の光は、傾斜角が大きい入光面１４３ａに入射して屈折し、鉛直角が６０°以下の光となって出射される。従って、照明器具１を大型化することなく、グレア光を抑制することができる。このように、光源装置１００は、カバー１４０から出射される光が、部分的に明るくなることが抑制される。
【００３０】
また、カバー１４０の内壁には制御凸部１４３が形成され、カバー１４０の外壁は平面状に形成されている。このため、照明器具１において、光源装置１００が器具本体１０に取り付けられる際、制御凸部１４３に汚れが付着すること及び傷がつくことが抑制される。また、照明器具１が使用される際、制御凸部１４３に塵埃が蓄積することが抑制される。従来、楔形状及び円弧形状のカバーを有する照明器具が知られている。従来の照明器具は、カバーの厚さが厚いため、高コストとなる。また、カバーが、楔形状及び円弧形状を有しているため、カバーの厚さが顕著に異なる。このため、作製が困難である。これに対し、本実施の形態１は、押出成形又は射出成形によってカバー１４０を作製することができるため、コストを削減することができる。
【００３１】
実施の形態２．
図６Ａは、本発明の実施の形態２に係る光源装置２００を示す断面図である。図６Ａに示すように、本実施の形態２は、カバー１４０が傾斜部１６０を有している点で、実施の形態１と相違する。本実施の形態２では、実施の形態１と共通する部分は同一の符号を付して説明を省略し、実施の形態１との相違点を中心に説明する。
【００３２】
図６Ｂは、本発明の実施の形態２に係る光源装置２００の傾斜部１６０を示す断面図である。図６Ｂに示すように、傾斜部１６０は、側面部１４２の光源１１０側の端部と光源１１０の側面部１４２側の端部とを結んだ線Ｄ（図６Ｂの一点鎖線）より基板１２０側に配置され、傾斜面１６１を有する不透過性の部材である。より具体的には、傾斜部１６０は、側面部１４２の入光面１４３ａの光源１１０側の端部と、光源１１０の側面部１４２側の端部とを結んだ線Ｄより基板１２０側に配置されている。傾斜部１６０は、傾斜面１６１が、光源１１０から出射される光のうち、側面部１４２の光源１１０側の端部と基板１２０との間に入射する光を遮るように傾斜している。ここで、図６Ｃは、本発明の実施の形態２の変形例に係る光源装置２００の傾斜部１６０を示す断面図である。図６Ｃに示すように、傾斜部１６０の傾斜面１６１は、全ての面が同じ傾斜角ではなく、途中で屈曲していてもよい。このように、傾斜部１６０は、側面部１４２の光源１１０側の端部と光源１１０の側面部１４２の端部とを結んだ線Ｄ（図６Ｃの一点鎖線）より基板１２０側に配置されていれば、いずれの形状をなしてもよい。
【００３３】
光源１１０から出射される光のうち、光軸に対し広角の光は、出射面１４２ｂから出射される光がグレア光とならない目標とする鉛直角となるように大きく屈折する必要がある。目標とする出射面１４２ｂから出射される光の鉛直角θｃよりも光源１１０から出射される光の鉛直角θａが大きいとき、入光面１４３ａで屈折した光の鉛直角θｂが光源１１０から出射される光の鉛直角θａよりも小さくなる場合がある。入光面１４３ａに入射したときのθｂがθａより小さい場合、入光面１４３ａで屈折した光は、接続面１４３ｂに入射される場合がある。この場合、光が接続面１４３ｂで全反射され、所定の方向とは異なる方向に進みグレア光となる場合がある。一方、接続面１４３ｂが、入光面１４３ａで屈折した光と干渉しないように形成された場合、光源１１０から出射された光が直接接続面１４３ｂに入射し、グレア光となる場合がある。
【００３４】
なお、接続面１４３ｂが、入光面１４３ａで屈折した光と干渉しないようにするには、例えば屈折した光と平行となるように形成されればよい。しかし、光源１１０から出射された光が直接接続面１４３ｂに入射されると、接続面１４３ｂで反射または屈折した光は、所定の方向とは異なる方向に進みグレア光となる場合がある。これは、光源１１０から出射される光のうち、光軸に対し広角な光、例えば鉛直角が７０°〜９０°の光において、発生する可能性がある。
【００３５】
そこで、本実施の形態２では、傾斜部１６０が、入光面１４３ａに入射したときのθｂがθａより小さくなり得る範囲に設けられている。このため、いずれの制御凸部１４３も、入光面１４３ａに入射したときのθｂがθａより大きい。よって、光束の低下を抑制し、グレア光の発生を抑制することができると共に、光利用効率を向上させることができる。また、傾斜部１６０は、傾斜面１６１が、光源１１０から出射される光のうち、側面部１４２の光源１１０側の端部と基板１２０との間に入射する光を遮るように傾斜している。このため、光源１１０から出射される光が入射面１４２ａの接続面１４３ｂに入射することを防止することができる。また、光源１１０から出射される光が入光面１４３ａに入射した後に接続面１４３ｂに入射して全反射することを防止することができる。また、図６に示すように、光源装置１００は、側面部１４２と傾斜部１６０との境界線が天井面に沿うように、天井Ｃに設置される。
【００３６】
実施の形態３．
図７は、本発明の実施の形態３に係る光源装置３００を示す断面図である。本実施の形態３は、拡散部１７０を有している点で、実施の形態１と相違する。本実施の形態３では、実施の形態１と共通する部分は同一の符号を付して説明を省略し、実施の形態１との相違点を中心に説明する。
【００３７】
図７に示すように、拡散部１７０は、基板１２０の光源１１０が配置された側に設けられ、光源１１０から出射された光を拡散するものである。拡散部１７０は、板状の部材であり、光源１１０及び基板１２０を覆っている。拡散部１７０は、光源１１０から出射される光を拡散するものであり、幅をもった発光面の機能を有する。
【００３８】
図８は、本発明の実施の形態３に係る光源装置３００の光の進行方向を示す断面図である。拡散部１７０の中央部１７１から出射される光、拡散部１７０の一端部１７２から出射される光及び拡散部１７０の他端部１７３から出射される光の進行方向について説明する。図８に示すように、拡散部１７０の中央部１７１から出射された鉛直角がθａの光は、入射面１４２ａの入光面１４３ａに入射して屈折する。屈折した光は、鉛直角がθｂの光となり、媒質内部１４２ｃを進行して媒質内部１４２ｃと外部との境界面である出射面１４２ｂにおいて屈折する。屈折した光は、鉛直角がθｃの光となり、カバー１４０の外部に出射される。
【００３９】
拡散部１７０の一端部１７２から出射された鉛直角がθａの光は、入射面１４２ａの入光面１４３ａに入射して屈折する。屈折した光は、鉛直角がθｂの光となり、媒質内部１４２ｃを進行して媒質内部１４２ｃと外部との境界面である出射面１４２ｂにおいて屈折する。屈折した光は、鉛直角がθｃの光となり、カバー１４０の外部に出射される。θｂがθａより大きい場合、グレア光となるため、入光面１４３ａの傾斜角θαは、θｂがθａよりも小さくなるように設定される。また、拡散部１７０の他端部１７３から出射された鉛直角がθａの光は、入射面１４２ａの入光面１４３ａに入射して屈折する。屈折した光は、鉛直角がθｂの光となり、媒質内部１４２ｃを進行して媒質内部１４２ｃと外部との境界面である出射面１４２ｂにおいて屈折する。屈折した光は、鉛直角がθｃの光となり、カバー１４０の外部に出射される。このとき、入光面１４３ａの傾斜角θαは、θｂで屈折した光が接続部に干渉しないように設定される。
【００４０】
これにより、光源装置１００は、幅をもった発光面の機能を有する拡散部１７０を用いた場合でも、グレア光を抑制することができる。また、拡散部１７０を用いることによって、光源１１０から出射される光の配光特性に起因して、カバー１４０に現れる粒々感を抑制することができる。
【００４１】
実施の形態４．
図９は、本発明の実施の形態４に係る光源装置４００を示す断面図である。本実施の形態４は、拡散部１７０及び傾斜部１６０を有している点で、実施の形態１と相違する。本実施の形態４では、実施の形態１と共通する部分は同一の符号を付して説明を省略し、実施の形態１との相違点を中心に説明する。
【００４２】
図９に示すように、側面部１４２と傾斜部１６０との境界線が天井面に沿うように天井Ｃに設置された光源装置４００は、実施の形態３と同様の拡散部１７０及び実施の形態２と同様の傾斜部１６０を有している。このため、光束の低下を抑制し、グレア光の発生を抑制することができる。また、光源装置１００は、幅をもった発光面の機能を有する拡散部１７０を用いた場合でも、グレア光を抑制することができる。また、拡散部１７０を用いることによって、光源１１０から出射される光の配光特性に起因して、カバー１４０に現れる粒々感を抑制することができる。
【００４３】
実施の形態５．
図１０は、本発明の実施の形態５に係る照明器具５を示す斜視図である。本実施の形態５は、カバー５４０の形状が実施の形態１と相違する。本実施の形態５では、実施の形態１と共通する部分は同一の符号を付して説明を省略し、実施の形態１との相違点を中心に説明する。
【００４４】
図１０に示すように、照明器具５は、天井Ｃに取り付けられる器具本体５０と、器具本体５０に取り付けられる光源装置５００とを備えている。
【００４５】
図１１は、本発明の実施の形態５に係る光源装置５００を示す断面図であり、図１０のＢ−Ｂ断面図である。図１１に示すように、光源装置５００は、光源５１０と、基板５２０と、筐体５３０と、カバー５４０とを備えている。光源５１０、基板５２０及び筐体５３０は、実施の形態１と共通する。カバー５４０は、正面部５４１がドーム形状を有しており、側面部５４２には制御凸部１４３が設けられている。制御凸部１４３は、実施の形態１の制御凸部１４３と同様である。このため、実施の形態１と同様の効果を奏する。
【符号の説明】
【００４６】
１  照明器具、１０  器具本体、１１  底部、１２  フランジ部、１００  光源装置、１１０  光源、１２０  基板、１３０  筐体、１４０  カバー、１４１  正面部、１４２  側面部、１４２ａ  入射面、１４２ｂ  出射面、１４２ｃ  媒質内部、１４３  制御凸部、１４３ａ  入光面、１４３ｂ  接続面、１５０  端板部、１６０  傾斜部、１６１  傾斜面、１７０  拡散部、１７１  中央部、１７２  一端部、１７３  他端部、２００  光源装置、３００  光源装置、４００  光源装置、５  照明器具、５０  器具本体、５００  光源装置、５１０  光源、５２０  基板、５３０  筐体、５４０  カバー、５４１  正面部、５４２  側面部、５４３  制御凸部、Ｃ  天井。
【図１】
2018006128.tif 000004
【図２】
2018006128.tif 000005
【図３】
2018006128.tif 000006
【図４】
2018006128.tif 000007
【図５】
2018006128.tif 000008
【図６Ａ】
2018006128.tif 000009
【図６Ｂ】
2018006128.tif 000010
【図６Ｃ】
2018006128.tif 000011
【図７】
2018006128.tif 000012
【図８】
2018006128.tif 000013
【図９】
2018006128.tif 000014
【図１０】
2018006128.tif 000015
【図１１】
2018006128.tif 000016